(57)【要約】      （修正有）【課題】濡れ状態の傘を簡単に収納して辺りの迷惑になるようなことがないよう傘を収納できると共に、ハンカチなどの小物の収容もでき、近くのフックや買い物カートのフレームなどに引っ掛けて用事を済ませる新規な構造の傘入れ用携行袋を提供する。【解決手段】全体形が先細り筒状で、最先端が剣先形、基端側が差入口の袋体１を、夫々中心線に対して対称形に裁断してなる一枚の防水性薄布を用い、その中心線で中裏に二つ折りにして縫合した縫合部が二重縫いされて漏水防止且つ補強された袋体となるようにすると共に、折畳みコンパクト化兼用の上部取付けベルト３および下方位に下部取付けベルト４が縫合される一方、差入口部分の内側には、蓋付きポケット２が縫合、一体化され、その蓋部が、着脱機構によって開閉自在に形成されてなるものとしたことを特徴とする傘入れ用携行袋。【選択図】図４
0003117501.tif 000002
【実用新案登録請求の範囲】
【請求項１】
窄めた状態とした傘を、窄めた状態での傘の石突から同各親骨先端辺りに至る長さ範囲に渡って収納可能なサイズで、全体形が先細り筒状であり、それを偏平化した状態の最先端所定範囲部分が剣先形となり、基端側が直線状の差入口とする袋体を、当該偏平化して最先端所定範囲部分に剣先形が表れる形の剣先形が共に外側に表れるよう、夫々中心線に対して対称形になるよう配した平面形に裁断してなる一枚の防水性薄布を用い、その中心線で中裏に二つ折りにした上、差入口とする直線状縁を除く輪郭縁を仕上り線より５〜６mm程度外を縫って先細り筒状の袋体としてから該袋体を中表に返し、再び差入口とする直線状縁を除く輪郭縁の仕上り線で縫い付け、最終的に中裏に返したときに縫合部が二重縫いされて漏水防止且つ補強された袋体となるようにすると共に、袋体縫合過程で差入口には補強芯材が縫い付けられ、該補強芯材に直交状であってそれを支持部とするようにして、閉じて環状とし得るよう両端にフックループ式ファスナーの配された折畳みコンパクト化兼用の上部取付けベルトが縫合される一方、該上部取付けベルトに相対する側となる差入口部分の内側には、蓋付きポケットが縫合、一体化された上、その蓋部と当該補強芯材の入った差入口との間が、同補強芯材を支持部とする着脱機構によって開閉自在に形成されてなるものとしたことを特徴とする傘入れ用携行袋。
【請求項２】
窄めた状態とした傘を、窄めた状態での傘の石突から同各親骨先端辺りに至る長さ範囲に渡って収納可能なサイズで、全体形が先細り筒状であり、それを偏平化した状態の最先端所定範囲部分が剣先形となり、基端側が直線状の差入口とする袋体を、当該偏平化して最先端所定範囲部分に剣先形が表れる形の剣先形が共に外側に表れるよう、夫々中心線に対して対称形になるよう配した平面形に裁断してなる一枚の防水性薄布を用い、その中心線で中裏に二つ折りにした上、差入口とする直線状縁を除く輪郭縁を仕上り線より５〜６mm程度外を縫って先細り筒状の袋体としてから該袋体を中表に返し、再び差入口とする直線状縁を除く輪郭縁の仕上り線で縫い付け、最終的に中裏に返したときに縫合部が二重縫いされて漏水防止且つ補強された袋体となるようにすると共に、袋体縫合過程で差入口には補強芯材が縫い付けられ、該補強芯材に直交状であってそれを支持部とするようにして、閉じて環状とし得るよう両端にフックループ式ファスナーの配された折畳みコンパクト化兼用の上部取付けベルトが縫合される一方、該上部取付けベルトに相対する側となる差入口部分の内側には、蓋付きポケットが縫合、一体化された上、その蓋部と当該補強芯材の入った差入口との間が、同補強芯材を支持部とする着脱機構によって開閉自在に形成されると共に、蓋付きポケットの配された側で剣先形先端側よりもやや上位となる位置の袋体には、差入口に平行状であって、閉じて環状とし得るよう両端にフックループ式ファスナーの配された上部取付けベルトの中心部分が縫合されてなるものとしたことを特徴とする傘入れ用携行袋。
【請求項３】
蓋付きポケットは、その蓋部が開放された状態の上端縁中央辺りで、当該着脱機構の着脱に支障を来さない位置に、ポケットと反対側に突出状となるようにしてループ状の吊り紐部が取り付けられてなるものとした、請求項１または２何れか記載の傘入れ用携行袋。
【請求項４】
蓋付きポケットと補強芯材の入った差入口との間の着脱機構は、フックループ式ファスナーによるものとした、請求項１ないし３何れか記載の傘入れ用携行袋。
【考案の詳細な説明】
【技術分野】
【０００１】
この考案は、雨に濡れた傘、特に雨天に使用してビショ濡れになった傘（コウモリ傘）を、外出先の屋外から屋内に入るために一時的に収納しなければならないようなとき、濡れた傘に付着した雨水やそれからの雫によって自らを汚したり、それ以上に辺りに迷惑を掛けてしまうことのないよう配慮して収容することができるよう、常に鞄や衣服のポケットなどに忍び携行することを可能にする傘入れ用携行袋であって、傘入れ用携行袋を製造する分野は勿論のこと、その製造に必要とする設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                        
【背景技術】
【０００２】
（着目点）
近頃では身の回りに商品が溢れ過ぎていて、凡そ日常生活で足りないものがない程に量、質共に充実しており、例えば急な雨に遭遇したとしても、駅の売店や街のあちこちに林立するコンビニエンスストアなどには急場凌ぎの安価なコウモリ傘が十分用意されているので、誰でも何なくそれらを手にして雨中を予定どおりに行動することができ、そして、その傘を差したまま、目的の例えばデパートに着けば、そこには片隅に無料で使用可能なビニル袋が用意されていて濡れた傘を収納することができるようにしてあって、室内を汚したり、他人に迷惑が掛からないよう振る舞う上での配慮がなされるといった具合に至れり尽せりとなってることから、このような流れで行動している分には何ら問題が起きることなどを懸念する必要はないといえるが、幾らこのように物が有り余る世の中で、急場に傘を簡単に調達できたとしても、目的地に着くまでの間に、電車や地下鉄、バスなど、人が多数群がる交通手段を使用しなければならない羽目になると、それまで助けられていた件の傘は、一転して場所を汚し、何よりも他所様に迷惑を掛ける厄介物となってしまうといった事態に誰でも一度は遭遇しているにも拘わらず、その場を過ぎてしまうとそのときの不都合さに殆ど執着しなくなってしまっていて、何時かは同じ不都合さに出会すことを、凝りもせず繰り替えしてきている。
【０００３】
（従来技術）
それでも、過去にはそのような不都合さに着目して一念発起し、雨天使用でびしょ濡れになってしまった傘を、どのような場面においても決して濡れたままの傘とならないよう気配りができるようにしたものも当然存在していて、例えば、実公昭６３−３５６１４号公報に掲載された「傘の握り手構造」考案には、普段は持ち歩くことの少ないか、または紛失してしまうことの多い傘カバーを、傘の握り手に出し入れ自在に収納し得るようにして傘を携行するときには必然的に付いてくるようにし、したがって、雨天使用でびしょ濡れになってしまったときでも、折畳んだ状態の傘を、付属のカバーで簡単に覆い尽してしまい、上記したような不都合さを何時でも回避できるように配慮したものといえるが、傘覆い部と同じ薄手の生地を採用したとしても、収納部とする握り手の構造上の制約から折畳み傘の物のように比較的小さ目のカバーであることが望まれるという条件の外、握り手がどうしても太めになってしまうという制約もあったものと考えられ、実際には普及を見るまでには至らなかったというような事例などが散見される。
【０００４】
他方、急場の傘の調達という観点からは、外出中の突然の雨に対しても対応しようとする技術として提案されているものに、自転車を使っての外出時において確実に対応可能になるようにしたものとしての提案は多数見受けられ、例えば、特開平１０−２５０６６１号公報の「施錠機能を有する自転車用傘装着具」発明を始めとし、同様の類いの物が、特開２００１−７０１２９号公報「車両用物品取付具、長傘、雨よけ具、および傘セット」発明、特開２００４−１０６８１４号公報「自転車装着用施錠穴付き傘収納袋」発明その他の事例のとおりであって、既に実用に供されていて自転車に装着使用しているところをよく見掛けるが、これらはあくまで自転車使用が前提となるものであると同時に、自転車から外して、例えば繁華街等市中を歩行携行する場面については想定範囲外となっており、したがって、急場の調達には、便利なコンビエンスストアから何時ものように調達せざるを得ず、相も変わらずびしょ濡れ状態の傘の取扱いで形見の狭い思いを覚悟しなければならないこととなるというのが実情である。                                                  
【特許文献１】（1）実公昭６３−３５６１４号公報  （2）特開平１０−２５０６６１号公報  （3）特開２００１−７０１２９号公報  （4）特開２００４−１０６８１４号公報
【考案の開示】
【考案が解決しようとする課題】
【０００５】
（問題意識）
上記してきたとおり、外出中の突然の雨に遭遇して傘を差してしまった後で、例えば途中の駅舎から電車に乗らなければならないときや、目的地で屋内に入ってその室内を移動しなければならないといった場面において、予めそれが用意した傘であるのか、何処かで急場しのぎに調達し得た傘であるのかの別なく、それが先の使い捨て用の傘であれば言うまでもなくカバー付きの物はなく、また使い捨て以外で常備用の傘で購入時にカバー付きの物であっても、それらにはカバーとして使用状態以外のときの携行用としての配慮を欠いているために持ち歩く人が殆どないことなどに原因して、濡れたままの傘で周囲に迷惑を掛けてしまう状況の回避が難しく、それに対する措置についても、これまで提案のあるものには、限定された使用目的の物しか見当たらないという実情にあって、未だに通勤時や混雑する買い物時にお互いが迷惑を被って不愉快な思いを抱くといった場面に、何らかの有効な対策がないものかという願いは、安穏に暮らせる時代だけに尚更切実な問題になってきている。
【０００６】
（考案の目的）
上述のような実情から、この考案では、どのような場面にしろ、びしょ濡れ状態の傘で、仮令それら濡れた傘収納用のビニル袋が用意されていない場所に立ち寄らざるを得なくなってしまったときも、鞄やポケットなどの片隅に常に携行しても殆ど邪魔になることがなく、いざ取出して濡れ状態の傘を簡単に収納して外表面を覆ってしまって辺りの迷惑になるような場面を一切惹起せず、しかも傘から溢れた雨水も外部には漏らさず溜め込んで、他所の場所で廃棄処理ができるようにすると共に、傘を収納使用しているときにも、ハンカチや鍵、小銭入れといった小物の収容ができたり、それらが一時的に邪魔となるときには、近くのフックや自転車であればハンドル、買い物カートであれば手押し部フレームなどに引っ掛けて用事を済ますことができるようにするといった行動が誰でも容易く実行し得るものとなし、ちょっとした普段からの心掛けで、日常生活の中での人々の交わりが円滑になるようにする格好の身の回り品の一例となり得るような傘入れ用携行袋はできないものかとの発意により、逸速くその開発、研究に着手し、長期に渡る試行錯誤と幾多の試作、実験とを繰り返してきた結果、今回、遂にその目的とする新規な構造の傘入れ用携行袋を実現化することに成功したものであり、以下では、図面に示すこの考案を代表する実施例と共に、その構成を詳述することとする。                                                                                        
【課題を解決するための手段】
【０００７】
この考案の傘入れ用携行袋は、後述する図面と共に示す代表的な実施例からも明確に把握できるとおり、以下のような構成から成り立っている。
即ち、窄めた状態とした傘を、窄めた状態での傘の石突から同各親骨先端辺りに至る長さ範囲に渡って収納可能なサイズで、全体形が先細り筒状であり、それを偏平化した状態の最先端所定範囲部分が剣先形となり、基端側が直線状の差入口とする袋体を、当該偏平化して最先端所定範囲部分に剣先形が表れる形の剣先形が共に外側に表れるよう、夫々中心線に対して対称形になるよう配した平面形に裁断してなる一枚の防水性薄布を用い、その中心線で中裏に二つ折りにした上、差入口とする直線状縁を除く輪郭縁を仕上り線より５〜６mm程度外を縫って先細り筒状の袋体としてから該袋体を中表に返し、再び差入口とする直線状縁を除く輪郭縁の仕上り線で縫い付け、最終的に中裏に返したときに縫合部が二重縫いされて漏水防止且つ補強された袋体となるようにすると共に、袋体縫合過程で差入口には補強芯材が縫い付けられ、該補強芯材に直交状であってそれを支持部とするようにして、閉じて環状とし得るよう両端にフックループ式ファスナーの配された折畳みコンパクト化兼用の上部取付けベルトが縫合される一方、該上部取付けベルトに相対する側となる差入口部分の内側には、蓋付きポケットが縫合、一体化された上、その蓋部と当該補強芯材の入った差入口との間が、同補強芯材を支持部とする着脱機構によって開閉自在に形成されてなるものとした構成を要旨とする傘入れ用携行袋である。
【０００８】
この基本的な構成からなる傘入れ用携行袋を、より望ましい構成によるものとして示せば、窄めた状態とした傘を、窄めた状態での傘の石突から同各親骨先端辺りに至る長さ範囲に渡って収納可能なサイズで、全体形が先細り筒状であり、それを偏平化した状態の最先端所定範囲部分が剣先形となり、基端側が直線状の差入口とする袋体を、当該偏平化して最先端所定範囲部分に剣先形が表れる形の剣先形が共に外側に表れるよう、夫々中心線に対して対称形になるよう配した平面形に裁断してなる一枚の防水性薄布を用い、その中心線で中裏に二つ折りにした上、差入口とする直線状縁を除く輪郭縁を仕上り線より５〜６mm程度外を縫って先細り筒状の袋体としてから該袋体を中表に返し、再び差入口とする直線状縁を除く輪郭縁の仕上り線で縫い付け、最終的に中裏に返したときに縫合部が二重縫いされて漏水防止且つ補強された袋体となるようにすると共に、袋体縫合過程で差入口には補強芯材が縫い付けられ、該補強芯材に直交状であってそれを支持部とするようにして、閉じて環状とし得るよう両端にフックループ式ファスナーの配された折畳みコンパクト化兼用の上部取付けベルトが縫合される一方、該上部取付けベルトに相対する側となる差入口部分の内側には、蓋付きポケットが縫合、一体化された上、その蓋部と当該補強芯材の入った差入口との間が、同補強芯材を支持部とする着脱機構によって開閉自在に形成されると共に、蓋付きポケットの配された側で剣先形先端側よりもやや上位となる位置の袋体には、差入口に平行状であって、閉じて環状とし得るよう両端にフックループ式ファスナーの配された上部取付けベルトの中心部分が縫合されてなるものとした傘入れ用携行袋となる。                                                                                        
【考案の効果】
【０００９】
以上のとおりの構成を要旨とするこの考案の傘入れ用携行袋は、防水性薄布製で、付属部片についても折り畳みに不都合を来すことのない構造で一体化され、簡単に八つ折り重ね状に折り畳んで安定したコンパクト状態に姿、格好を変えられ、鞄やポケットなどの片隅に携行していても殆ど邪魔になることがないような構造のものに形成してあって常に携行できるものとなるよう配慮されていることから、びしょ濡れ状態となってしまった傘、それが仮令突然の雨に遭遇してしまったような場合で、しかも、それら濡れ傘収納用のビニル袋が用意されていない場所に立ち寄らざるを得なくなってしまったとしも、常に携行できて、何ら慌てることもなくそれを取り出して濡れ状態の傘を簡単に収納し、窄めた状態で当該袋体の差入口から静かに差し込みさえすれば、それら濡れ傘の外表面を簡単、確実に覆ってしまうことができ、濡れ傘にまとわり着いている雨水やその雫を殆ど外部に漏らすことのない状態に維持でき、しかも耐久性を得られるよう独特の縫い目構造にしてあることから、それら濡れ状態の傘で辺り迷惑を掛けてしまうという失態を誰でも回避できるようにするという特徴を備えることとなって、普段からの僅かな配慮で日常生活の中での人々の交わりを円滑なものにすることができるということを実証し得る格好の身の回り品となるという大きな効果が得られるものとなっている。
【００１０】
しかも、こうして人様に迷惑を掛けることないようお互いが他人を思い遣る気持ちで活用され、その役目を果たし終えた後では、傘から溢れた雨水を外部に殆ど漏らすことのない構造のものに形成してあることから、当該袋体に溜め込んだ状態のままになっているため、それらの雨水を廃棄処理ができる他所の場所において排水してしまえば、後処理も極めて簡単に済ますことができ、その後も、乾燥して再度ポケットや鞄など普段の外出時には必ず必要となるものの片隅に忍ばせておくという、ちょっとした普段からの心掛けさえ怠らなければ繰り返し使用が可能となり、人々が集まるところに、わざわざ濡れ傘収納用のビニル袋を配置するという経済的負担ばかりでなく、少量とはいえどもビニル等有限な資材の無駄使いと、それらの焼却による公害発生とを未然に回避できるという秀れた効果がもたらされることにもなる。
【００１１】
更に、この考案の傘入れ用携行袋は、傘を収納使用しているときの使用勝手を考慮して付属部片を用意してあり、外出に際して必需品であるハンカチやティッシュ、それに家の鍵、小銭入れなどといった小物の収容もできるように蓋付きポケットを目立たなくして形成してあったり、それらが一時的に邪魔になるときなどには、近くの使用可能なフックにチョイ掛けできるような吊り紐部が蓋付きポケットの蓋部分を使って用意されており、また自転車での移動の最中であればそのハンドル、買い物中のカートであればその手押し部フレームなどに安定的に仮着し、使用者の手を一切煩わせないで用事を済ますことができるよう折畳みコンパクト化兼用の上部取付けベルトと下部取付けベルトとが所定の位置に利便性を考慮した配置としてあるといった具合に、所謂雨に降られて濡れてしまったびしょ濡れ状態の傘を抱えたときに必要となる行動の多くが、この考案の傘入れ用携行袋によって殆ど間に合うような配慮がなされていて、普段から携行する意義を誰でも感じ易くしてその携行の必要性が高められるようにすることにより、誰でもが普段からの携行を心掛け、使用することとなり、その結果、日常生活の中での人々の交わりを円滑にする身の回り品の一つとして欠かすことができないものになるという重要な効果が得られることになる。                                                                                                
【考案を実施するための最良の形態】
【００１２】
上記したとおりの構成からなるこの考案の実施に際し、その最良もしくは望ましい形態について説明を加えることにする。
傘入れ用携行袋の対称とする傘は、主にコウモリ傘（折畳み傘では、その折畳み状態を解除して親骨を直線状に組み立て、ランナーを中棒に沿って押し上げれば通常のコウモリ傘同様に展開する状態になるようにしたもの）で、それも使用前、または使用後で窄めた状態の傘を専ら対象とするものであり、常備用の傘（つまり、使い捨て用ではない傘）として窄めた状態で一般的な全長８０ないし９０ｃｍ前後のもので、石突（通常１０ｃｍ）を含めた親骨露先までの長さが６０ないし７０ｃｍ前後とするものから、それらよりもかなり小型となる展開して窄めた状態の折畳み傘や使い捨て用のビニル傘までと、あらゆる窄めた状態の傘を対象とし得るものであり、この考案の傘入れ用携行袋を、それら対象とする傘の全てに兼用するように寸法を設定したものとするか、サイズに応じて何段階かに使い分けして提供するようにするかは適宜状況に応じて選択的に決定されれば足り、この考案を左右する要素ではない。
【００１３】
傘入れ用携行袋は、携行用とするのを旨とすることから、生地は、常備用の傘でその生地部として広く使用されているポリエステル薄布で防水処理の施されているものに代表されるように、防水性がある上、先細り筒状の袋体に形成された後、携行するために折り畳んでも嵩張ることがないよう極力薄手のものとし、なお且つ、濡れて重くなったびしょ濡れ状態の傘であって、しかも尖った石突の先端で擦られたり、突き当てられても簡単に破れてしまうことのないある程度の強靱さを兼ね備えている布地である必要があり、それらが充足されるものであれば特にその布地の材質を限定するものではなく、現行のものから今後開発されるであろうあらゆる秀れた新素材のものまでで最適なものの使用が可能である。
【００１４】
こうして選択された生地を、窄めた状態とした傘を、窄めた状態での傘の石突から同各親骨先端辺りに至る長さ範囲（常備用の傘で一般的なもので通常６５ｃｍ前後）に渡って収納可能なサイズで、全体形が先細り筒状であり、それを偏平化した状態の最先端所定範囲部分が剣先形となり、基端側が直線状の差入口とする袋体を、当該偏平化して最先端所定範囲部分に剣先形が表れる形の剣先形が共に外側に表れるよう、夫々中心線（先細り筒状の筒状方向に沿う中心線）に対して対称形になるよう配した平面形（概略長い舌片状であり、当然縫い代を考慮した形）に裁断して、この考案の傘入れ用携行袋の主体をなす袋体用の型取り生地とする。
【００１５】
この袋体用の型取り生地に加え、同じ生地（主に経済上から同じ生地とするものであり、デザイン性その他の事情によっては素材を変更可能。）を使って、袋体への付属部片となる蓋付きポケット、上部取付けベルトおよび下部取付けベルトも、その形状や構造に応じて必要となる平面形に予め型取り裁断したものとして夫々の型取り生地として用意した上、蓋付きポケットについては、袋体縫合中途で直ぐ縫い付けが可能となるような手配、即ち蓋部とする上方側を補強芯部を兼ねるよう三つ折りに折り重ねてミシン掛けすると共に、蓋部の上端に吊り紐を縫い付けた上、蓋を除くポケット本体部の周囲縫い代との境目に予め折り目付けしたものにしておく一方、他の付属部片である上部取付けベルトおよび下部取付けベルトについては、夫々所定サイズに型取りした生地の左右１／４ずつを共に寄せ合うように折り重ね、更にそれら重ねた部分が内側になるように二つ折りにし、最終的に先の型取り生地の１／４巾のものにした状態で四方ミシン掛けをしてベルト本体とする一方、相対することとなる所定箇所には夫々フックループ式ファスナーの雄、雌部を載せてミシンで押さえておき、これまた袋体縫合中途で直ぐ縫い付けができるようにする。
【００１６】
この蓋付きポケットは、袋体に対する一つの付属部片であって、袋体の差入口の内側または外側に一体に縫合するか、または別体のものとして着脱自在に、例えばフックループ式ファスナーを使って取り付け、取り外しできるような構造に一体化したものにするかされ、袋体に濡れた傘を入れて使用する段階で必要なハンカチやティッシュなどを入れておいたり、出かける際に使った鍵を一時的に収容しておくなど、この考案の携行袋の使用段階での利便性を高めるようにする機能を果たすものであり、後述する実施例に取り上げたような基本的な構造のポケットとする外、収容するものに合致するよう工夫した区画や蓋、金具などを取り入れた様々な構造、形状のものを適宜採用可能とし、しかも、蓋部分の開閉自在機構についても、後述の実施例にも採用し、本考案を特定する箇所の記載においても表示するフックループ式ファスナーは、あくまで例示的記載に過ぎず、フック止めやフォック止め、ボタン止め、ループ止め、チャックなど、ポケット蓋の開閉自在機構に採用可能なあらゆる手段を包含すると共に、該開閉自在機構とは別に、あるいは兼用するようして、実施例で採用するような吊り下げ用のループなどによる吊り下げ紐を取り付けるなど、蓋部分に他の機能を付加したものにすることもできる。
【００１７】
また、上部取付けベルトおよび下部取付けベルトは、上記蓋付きポケットと同様、袋体の使用勝手を高めるために必要とする付属部片であり、途中で雨に降られてびしょ濡れになってしまった傘をスーパーなどに持ち込み、買い出しをしなければならなくなった場合、買い物用カートのフレームに仮固定してブラブラしないようにしたり、雨上がりに不要となってしまった傘を携帯したまま自転車に乗らなければならなくなった場合に、袋体に入れたままでハンドルにぶら下げ、邪魔にならない状態で運転できるようにするなどの目的で、この考案の袋体の上下辺りを対応箇所に仮固定するようにする機能を果たすと共に、上部取付けベルトについては、袋体を筒状方向に八つ折に折り畳んでコンパクト化したときの形状保持機能をも兼用することになるバンドとしてあり、したがって、これら機能を果たし得るものであれば、後述の実施例に採用するような袋体と友生地によるベルトとする外、リボンテープや紐、チェーン金具などに代替しても同様の目的達成が可能となり、しかも、その仮着手段についても、上記した蓋付きポケットにおける蓋の開閉自在機構と同様、フックループ式ファスナー他各種手段に置換可能である。
【００１８】
こうして事前に各付属部片の準備を整えるようにする一方、袋体用とする型取り生地は、先ず差入口とする直線状縁側で、仕上り線の外側所定巾、例えば６ｃｍ巾部分を、差入口（３ｃｍ巾としている。）のための折返しとし、その中、仕上り線に沿う裏側３ｃｍ巾部分に口芯材を載せた状態で、両脇に袋体とするときの縫い代が入る程度の部分を残した中央部分をミシン止めしたものとすることにより、直線状縁側が最終的に口芯材で補強された３ｃｍ巾程度の差入口となるようにすると共に、先に用意した蓋付きポケットや下部取付けベルトなど、袋体としてからでは縫い付けが困難となる付属部片を先んじて所定箇所に縫い付けてしまうようにした上、その中心線で中裏に二つ折りにした上、差入口とする直線状縁を除く輪郭縁を仕上り線より５〜６mm程度外を縫って先細り筒状で最先端所定範囲部分に剣先形が表れる形の袋体としてから該袋体を中表に返し、再び差入口とする直線状縁を除く輪郭縁の、今度は仕上り線で縫い付けてしまい、それを最終的に中裏に返した袋体とすることにより、縫合部が二重縫いされて漏水防止且つ補強された袋体となした後、縫い残している差入口側の口芯材よりも外側の折返し３ｃｍ巾部分を当該口芯材に被せる状態で内側に折り曲げ、さらにそれら口芯材を含む折り返しを再度内折して仕上り線どおりのものとしたところで、それら折り返しの上下をミシン掛けして縫い付けることにより、口芯材と生地の折返しで４層構造に補強された差入口の用意されてなる袋体を略完成する。
【００１９】
この後、蓋付きポケットで仕上げ切っていないところ、即ち、４層構造に補強した差入口を縫合、完成するために残してあった蓋付きポケットの蓋部分から下方位で、完成した３ｃｍ巾程の差入口に相対する部分を、仕上った当該差入口に縫い付けて完成させると共に、上部取付けベルトを、蓋付きポケット取付位置とは正反対となる差入口に縫い付け固定すれば、この考案の傘入れ用携行袋を所定の如くの構造のものとして完成することになる。
なお、上記で取り上げた数値は、具体例としての一例を例示しているに過ぎず、対象とする傘の種類、それに応じた構造、機能、デザインその他の都合で、それら値は自由に変更することができることは言うまでもない。
以下、図面に示すこの考案を代表する事例の傘入れ用携行袋について詳細な説明を加え、この考案の傘入れ用携行袋における上記までの構成の理解がより明確なものとなるようにする。                                                                                            
【実施例１】
【００２０】
図面は、この考案の傘入れ用携行袋を代表する一事例を示すものであって、図１が、その傘入れ用携行袋の主体をなす袋体１の型取り生地Ｋ１の平面図に、付属部片の蓋付きポケット２、上部取付けベルト３および下部取付けベルト４が、夫々組合せ箇所近傍に配して表したものとし、以下、図２が、付属部片である蓋付きポケット２、上部取付けベルト３および下部取付けベルト４の存在を明らかにするよう蓋部２１を開いたり、各ベルト３，４を開放した状態にして示す傘入れ用携行袋の正面図、図３が同背面図、図４が同斜視図、図５が、折り畳んで携行に便利な形にコンパクト化する過程を示す展開図、図６が傘Ａを収納した状態で吊り下げ紐２２を使って仮着状とした状態を示す使用状態斜視図、図７がカートに安定的に仮着状にした状態で示す使用状態斜視図であり、付属部片の蓋付きポケット２、上部取付けベルト３および下部取付けベルト４が、袋体１と同様の防水性ポリエステル生地を使用して形成するようにしたものである。    
【００２１】
先ず、袋体１用の型取り生地Ｋ１を、図１に示すように、窄めた状態とした傘Ａを、窄めた状態での傘Ａの先端石突から同各親骨先端Ａ１，Ａ１，……辺りに至る長さ範囲に渡って収納可能な約６０ｃｍで、全体形が先細り筒状となるようにしたものの展開した状態であり、形成しようとする袋体１を偏平化した状態の最先端所定範囲部分が剣先形１２となり、基端側直線部分Ｋ１２の約２６ｃｍが筒状の差入口１１とする袋体１を、当該偏平化して最先端所定範囲部分に剣先形１２が表れる形の剣先形が共に外側に表れるよう、夫々中心線Ｋ１１に対して対称形になるよう配した平面形で、それに所要の縫い代Ｋ１３、Ｋ１４を加えた形に裁断する。
【００２２】
また、同一の生地を使い、約４ｃｍ巾とした蓋付きポケット２を、図１中の袋体用型取り生地Ｋ１の上方に表示するように、上部に上下巾約４ｃｍ程度の蓋部２１、その中央から上方に約４ｃｍ程度のループ状とした吊り下げ紐２２が突出状となっていて、その基部を、開閉自在機構とするフックループ式ファスナーの雌雄何れか側２３と共に縫合、一体化され、蓋部２１の下部の主要部三方周囲には５ｍｍ程度した縫い代２４を折り曲げしたものとする一方、同じ生地により、袋体を筒状方向に八つ折に折り畳んでコンパクト化した状態に保持するバンドを兼用する上部取付けベルト３と、専ら仮着用として機能する下部取付けベルト４とを、共に巾４ｃｍ、長さ１８ｃｍ程度のものとして周囲四方をミシン掛けしたものにすると共に、各端部にフックループ式ファスナーの雌雄の一方３２あるいは４２と、他方３３あるいは４３とを縫合、一体化したものとして用意する。
【００２３】
こうして各付属部片を用意した上、袋体用の型取り生地Ｋ１で、袋体１の差入口１１となる基端側直線部分Ｋ１２の外側に予め用意した上下巾６ｃｍ程の縫い代Ｋ１４の中、基端側直線部分（差入口の仕上り線）Ｋ１２側半分の約３ｃｍ巾の裏側に口芯材（図示せず。）を載せ、両脇縫い代が入る程度残るようにした上、その中央側をミシンで止めてから、残る外側半分約３ｃｍ巾の縫い代部分を口芯材側に折り返しておく。
【００２４】
次に、上記した状態の袋体用の型取り生地Ｋ１裏面のポケット付けする所定箇所に、先に用意した蓋付きポケット２を縫い代２４を折り返した状態のままで当て、ポケットの底になる部分だけ、蓋部２１寄り所定範囲を残し、最後に差入口をミシン掛けがなし得るよう配慮した位置まで縫い付ける一方、下部取付けベルト４も、剣先形の先端よりもやや上方位となる表面で、型取り生地Ｋ１の中心線Ｋ１１を直交状に跨ぐようにした所定位置に合わせた状態とした上、中心線Ｋ１１に沿わせてミシンで縫い止めてしまう。
なお、上部取付けベルト３については、袋体用の型取り生地Ｋ１を袋体１にして口芯材で補強された差入口１１を形成した後でなければ縫合、一体化できないため、そのままにして次に移るものとする。
【００２５】
蓋付きポケット２と下部取付けベルト４とを上記のように縫い付けた状態の袋体用の型取り生地Ｋ１を、その中心線Ｋ１１を折り目として、先ず中裏になるように注意して予め周囲に用意してある縫い代Ｋ１３、Ｋ１３同士を合わせるよう折り重ねた上、その仕上り線より５ないし６mm程度外を縫うことにより、縫い合わせた側の先端側約５ｃｍ程度の範囲１２に剣先形が表れ、折り目側を直線状とする先細り筒状のものとし、次に中表に返してから仕上り線を縫って先の縫い目が隠れると同時に、生地の裁断縁が隠れて保護される状態の構造を実現するようにし、その後で口芯材を整えた上、それら縫い代１４部分を差入口仕上り線の外側に折り重ねた状態とし、それら口芯材の入ってる部分をステッチで止めてしまうと、先端所定範囲を剣先形１２として先細り筒状とし、上端側が補強された差入口１１にした中表状態の袋体１が出来上がる。
【００２６】
その結果、袋体１の差入口１１が形成されるまで縫い整えることができなかった蓋付きポケット２のポケット部分の縫い残し部分、および蓋部２１の両脇部分を漸く縫い付けてしまうことが可能になり、その仕上げ縫いを終えた段階で、中表状態となっていた袋体１を中裏になるようにひっくり返せば、蓋付きポケット２は内側に納まり、下部取付けベルト４は逆に表面の下方所定位置に横設状に表れた図２の正面図に見る（実際には完成品の正面図で、上部取付けベルト３が背面側隠れて図面上に表れていないため、この段階の正面図と同様となっているだけ。）ような本来の袋体１の姿に納まるから、最後に、これまた袋体１の差入口１１が口芯材入りのものとして縫い終わるまで取り付ける訳にはいかなかった上部取付けベルト３を、蓋付きポケット２の取付け箇所と丁度反対側となる差入口１１に対し、直交状姿勢であってその長さ方向中央部分を縫合、一体化してしまうことにより、正に図２の正面図、図３の背面図どおりで全体として図４斜視図に見られるとおりの完成したこの考案の傘入れ用携行袋となる。
【００２７】
（実施例の作用）
このようにして構成されるこの考案の傘入れ用携行袋は、普段から鞄やポケットなどといった外出時に必携することとなるものの片隅に常に忍ばせておくことを主眼としていることから、図２正面図に見る外観（但し、付属部片の蓋付きポケット２、上部取付けベルト３および下部取付けベルト４は、閉じた状態とする。縫い目は真裏に位置することとなる。）とした状態のものから、図５（イ）の斜視図に示すように、二つ折りして下方半分を折り曲げ、先端剣先形部分１２が蓋付きポケット２上に重なるようにした上、更に同じ方向に二つ折りを二回繰り返しさえすれば、図５（ロ）に示す状態の八つ折り重ね状に折り畳んで安定したコンパクト状態のものとなり、後は、このコンパクト化された姿・形が安定するよう、本来は、例えば図７の使用状態斜視図に看取できるとおり、使用段階で買い物用カートのフレーム等といった何か支持部への取着手段として用意された上部取付けベルト３を使い、そのフックループ式ファスナーの雌雄片３２，３３で固定して形がほぐれしまわない状態に形を保持し得る図５（ハ）に示す状態とする。
【００２８】
この状態で、鞄やポケットなど、普段、外出時に必携することとなるところに入れて携行するよう心掛けておき、突然の雨に遭遇してしまって急場凌ぎに使い捨て式のビニル傘を求めて使った後などで、駅舎やスーパーに入って濡れ傘を萎めて暫くは携行せざるを得ないようなとき、直ぐさま何時も忍び携行していたコンパクトなこの考案の傘入れ用携行袋を取り出して広げ、その差入口１１からびしょ濡れ状態で雫が垂れ下がっている萎めた傘を差し込んだ状態で携えるか、図７の買い物用カートＳに取り付けた斜視図に代表される例の外、自転車、車イスであっても同様であって、それらのハンドルＳ１やその他フレームＳ２に各ベルト３，４を巻き付けるか、蓋付きポケット２の蓋部２１に用意してある吊り下げ紐２２を適宜フックＦに引っ掛けるかするなどして仮置き状にしておくことができ、傘に煩わされることなく、本来の目的を遂行できることになる。
【００２９】
その際、例えばハンカチやティッシュＴを使って濡れた手などを拭いたとすれば、それを一時的に蓋付きポケット２に仕舞っておくことも可能になる。このような使用過程において、濡れている傘表面は完全に外部から遮断状態となっており、しかも雨水を溜め込む構造で外に殆ど漏れ出さなくしてあることから、雫を垂れ流し状態にして床を汚すこともなければ、歩行移動中や買い物中、あるいは混雑する人込み中でも周りの人に一切迷惑を掛けることもなくすことができることになる。
そして、カバーとしての役を果たした後には、溜まった雨水を排水口等支障のないところで廃棄処分し、適宜乾燥して再び元のコンパクトに折り畳んだ状態として常に携行するようにし、いざというときに備えるものとする。
【００３０】
（実施例の効果）
したがって、この考案を代表する図示の実施例に取り上げた傘入れ用携行袋は、素材を傘の生地と同じポリエステル生地の薄布を採用して安価、丈夫であって、しかも、蓋付きポケット２、上部取付けベルト３および下部取付けベルト４の開閉自在機構などを全てフックループ式ファスナーを採用して嵩張ったり、突出したりすることのないよう配慮したものとしていることから、全体として軽量であって折り畳めば極めて小型化できると共に、日用品として納得のいく価格設定したものとして提供可能になる上、普段から携行するのに殆ど抵抗感のないものとなって広く誰でもが手軽に使用でき、雨時に傘を使用した後にも何ら他人に迷惑が掛からないようにすることができるという大きな効果を奏するものとなる。                                          
【００３１】
（結  び）
叙述の如く、この考案の傘入れ用携行袋は、その新規な構成によって所期の目的を遍く達成可能とするものであり、しかも製造が容易であって低廉な日用品として提供できるものとなる上、コンパクトで丈夫なものとして実現可能となることから、普段、必携の日用品として携行するのに抵抗感のないものとなってより多くの人に評価を得て広範に利用、普及されることが可能となり、雨天時の濡れ傘で起きる不快感を無くす上で大いに威力を発揮し、人々の交わりを円滑にする日用品の一つとして欠くことができないものになることが予想される。                                                                                                  
【図面の簡単な説明】
【００３２】
図面は、この考案の傘入れ用携行袋の技術的思想を具現化した代表的な一実施例を示すものである。
【図１】この考案の傘入れ用携行袋のための型取り生地と各付属部片とを示す平面図である。
【図２】この考案の傘入れ用携行袋を示す正面図である。
【図３】同背面図である。
【図４】各部を開放した状態で示す同全体斜視図である。
【図５】この考案の傘入れ用携行袋コンパクト化する過程を経時的に（イ）ないし（ハ）の段階で示す斜視図である。
【図６】フックに引っ掛け使用する状態を示す斜視図である。
【図７】買い物用カートのフレームに仮着状として使用する状態を示す斜視図である。
【符号の説明】
【００３３】
１      袋体
１１    同  差入口
１２    同  剣先形部分
１３    同  フックループ式ファスナー
２      蓋付きポケット
２１    同  蓋部
２２    同  吊り下げ紐
２３    同  フックループ式ファスナー
２４    同  縫い代
３      上部取付けベルト
３１    同  縫い目
３２    同  フックループ式ファスナー
３３    同  フックループ式ファスナー
４      下部取付けベルト
３１    同  縫い目
３２    同  フックループ式ファスナー
３３    同  フックループ式ファスナー
Ｋ１    袋体の型取り生地
Ｋ１１  同  中心線
Ｋ１２  同  基端側直線部分
Ｋ１３  同  縫い代
Ｋ１４  同  縫い代
Ａ      傘
Ｆ      フック
Ｓ      買い物用カート
Ｓ１    同  ハンドル
Ｓ２    同  フレーム
Ｔ      ティッシュ
【図１】
0003117501.tif 000003
【図２】
0003117501.tif 000004
【図３】
0003117501.tif 000005
【図４】
0003117501.tif 000006
【図５】
0003117501.tif 000007
【図６】
0003117501.tif 000008
【図７】
0003117501.tif 000009